(57)【要約】【課題】所定の温度範囲でのみ印画物の表面にコード情報が発現するセキュリティ性の高い印画物及びコード情報発現システムを提供する。【解決手段】本実施形態に係る印画物は、基材の一方の面に、第１所定温度で色相が変化する第１示温インキ、第２所定温度で色相が変化する第２示温インキ、及び温度で色相が変化しない通常インキが印刷されている。前記第１示温インキが前記一方の面にコード情報に対応するパターンで印刷され、前記第２示温インキが前記第１示温インキ上に積層して印刷され、前記第１示温インキ及び前記第２示温インキを囲むように第１通常インキが印刷されている。前記第２示温インキは、前記第２所定温度未満では前記第１通常インキと同色であり、前記第２所定温度以上で消色状態となる。前記第１示温インキは、前記第１所定温度未満では前記第１通常インキと異なる色であり、前記第１所定温度以上で前記第１通常インキと同色となる。【選択図】図１
2020040336.tif 000002
【特許請求の範囲】
【請求項１】
基材の一方の面に、第１所定温度で色相が変化する第１示温インキ、第２所定温度で色相が変化する第２示温インキ、及び温度で色相が変化しない通常インキが印刷された印画物であって、
前記第１示温インキが前記一方の面にコード情報に対応するパターンで印刷され、
前記第２示温インキが前記第１示温インキ上に積層して印刷され、
前記第１示温インキ及び前記第２示温インキを囲むように第１通常インキが印刷され、
前記第２示温インキは、前記第２所定温度未満では前記第１通常インキと同色であり、前記第２所定温度以上で消色状態となり、
前記第１示温インキは、前記第１所定温度未満では前記第１通常インキと異なる色であり、前記第１所定温度以上で前記第１通常インキと同色となることを特徴とする印画物。
【請求項２】
前記第１所定温度は前記第２所定温度より高いことを特徴とする請求項１に記載の印画物。
【請求項３】
前記第１示温インキ、前記第２示温インキ及び前記第１通常インキは、前記基材の一方の面の第１領域に印刷され、
前記基材の一方の面の前記第１領域とは異なる第２領域に、
第３所定温度で色相が変化する第３示温インキがコード情報に対応するパターンで印刷され、
第４所定温度で色相が変化する第４示温インキが前記第３示温インキ上に積層して印刷され、
前記第３示温インキ及び前記第４示温インキを囲むように第２通常インキが印刷され、
前記第４示温インキは、前記第４所定温度未満では前記第２通常インキと同色であり、前記第４所定温度以上で消色状態となり、
前記第３示温インキは、前記第３所定温度未満では前記第２通常インキと異なる色であり、前記第３所定温度以上で前記第２通常インキと同色となることを特徴とする請求項１又は２に記載の印画物。
【請求項４】
前記第３所定温度は前記第４所定温度より高いことを特徴とする請求項３に記載の印画物。
【請求項５】
前記第１所定温度は前記第２所定温度より高く、前記第４所定温度は前記第１所定温度より高いことを特徴とする請求項４に記載の印画物。
【請求項６】
請求項５に記載の印画物と、
前記印画物に接触させる加熱用の接触体と、
を備え、
前記接触体の印画物接触面には、加熱温度の異なる第１加熱領域及び第２加熱領域が設けられており、
前記第１加熱領域は、前記第１所定温度と前記第２所定温度との間の温度に昇温し、
前記第２加熱領域は、前記第３所定温度と前記第４所定温度との間の温度に昇温することを特徴とするコード情報発現システム。
【請求項７】
基材の一方の面に、第１所定温度で色相が変化する第１示温インキ及び第２所定温度で色相が変化する第２示温インキが印刷された印画物であって、
前記第１示温インキが前記一方の面にコード情報に対応するパターンで印刷され、
前記第２示温インキが前記第１示温インキ上に積層して印刷され、
前記第２示温インキは、前記第２所定温度未満では前記基材の一方の面と同色であり、前記第２所定温度以上で消色状態となり、
前記第１示温インキは、前記第１所定温度未満では前記基材の一方の面と異なる色であり、前記第１所定温度以上で前記基材の一方の面と同色となることを特徴とする印画物。
【発明の詳細な説明】
【技術分野】
【０００１】
本発明は、セキュリティコード等のコード情報が付与された印画物及びコード情報発現システムに関する。
【背景技術】
【０００２】
近年、キャッシュレス化が進み、カード決済を含め、クレジットカードを利用する場面は多岐にわたる。そのため、クレジットカードに対するセキュリティ性付与は必要不可欠な技術とされており、様々なセキュリティ性を付与したカードが登場し、その技術も日々進歩を続けている。
【０００３】
クレジット決済では、カード番号や有効期限の入力に加えて、セキュリティコードの入力が求められることが多い。従来のカードは、これらの情報が券面上に全て印字されているため、紛失時のリスクが高かった。
【０００４】
セキュリティコードをカードに印字する代わりに、磁気テープやＩＣに記録する方法が考えられるが、本人確認のためにコード情報を別途入力する必要があり、多数のカードを使用している場合は、コード情報を忘れて、カードが使用できなくなるという問題があった。カードにセキュリティコードを記載し、かつ常温では視認できなくする方法として、示温インキによる印刷方法が知られている（例えば特許文献１参照）。
【０００５】
しかし、カードに示温インキでセキュリティコードが記載されていることが周知となれば、カードを一定温度以上に加温することでセキュリティコードが可視化するため、第三者が容易にセキュリティコードを読み取ることができてしまう。
【先行技術文献】
【特許文献】
【０００６】
【特許文献１】特開２０１７−１８５６８０号公報
【発明の概要】
【発明が解決しようとする課題】
【０００７】
本発明は、所定の温度範囲でのみ印画物の表面にコード情報が発現するセキュリティ性の高い印画物及びコード情報発現システムを提供することを課題とする。
【課題を解決するための手段】
【０００８】
本発明による印画物は、基材の一方の面に、第１所定温度で色相が変化する第１示温インキ、第２所定温度で色相が変化する第２示温インキ、及び温度で色相が変化しない通常インキが印刷された印画物であって、前記第１示温インキが前記一方の面にコード情報に対応するパターンで印刷され、前記第２示温インキが前記第１示温インキ上に積層して印刷され、前記第１示温インキ及び前記第２示温インキを囲むように第１通常インキが印刷され、前記第２示温インキは、前記第２所定温度未満では前記第１通常インキと同色であり、前記第２所定温度以上で消色状態となり、前記第１示温インキは、前記第１所定温度未満では前記第１通常インキと異なる色であり、前記第１所定温度以上で前記第１通常インキと同色となるものである。
【０００９】
本発明の一態様では、前記第１所定温度は前記第２所定温度より高い。
【００１０】
本発明の一態様では、前記第１示温インキ、前記第２示温インキ及び前記第１通常インキは、前記基材の一方の面の第１領域に印刷され、前記基材の一方の面の前記第１領域とは異なる第２領域に、第３所定温度で色相が変化する第３示温インキがコード情報に対応するパターンで印刷され、第４所定温度で色相が変化する第４示温インキが前記第３示温インキ上に積層して印刷され、前記第３示温インキ及び前記第４示温インキを囲むように第２通常インキが印刷され、前記第４示温インキは、前記第４所定温度未満では前記第２通常インキと同色であり、前記第４所定温度以上で消色状態となり、前記第３示温インキは、前記第３所定温度未満では前記第２通常インキと異なる色であり、前記第３所定温度以上で前記第２通常インキと同色となる。
【００１１】
本発明の一態様では、前記第３所定温度は前記第４所定温度より高い。
【００１２】
本発明の一態様では、前記第１所定温度は前記第２所定温度より高く、前記第４所定温度は前記第１所定温度より高い。
【００１３】
本発明によるコード情報発現システムは、本発明による印画物と、前記印画物に接触させる加熱用の接触体と、を備え、前記接触体の印画物接触面には、加熱温度の異なる第１加熱領域及び第２加熱領域が設けられており、前記第１加熱領域は、前記第１所定温度と前記第２所定温度との間の温度に昇温し、前記第２加熱領域は、前記第３所定温度と前記第４所定温度との間の温度に昇温するものである。
【００１４】
本発明による印画物は、基材の一方の面に、第１所定温度で色相が変化する第１示温インキ及び第２所定温度で色相が変化する第２示温インキが印刷された印画物であって、前記第１示温インキが前記一方の面にコード情報に対応するパターンで印刷され、前記第２示温インキが前記第１示温インキ上に積層して印刷され、前記第２示温インキは、前記第２所定温度未満では前記基材の一方の面と同色であり、前記第２所定温度以上で消色状態となり、前記第１示温インキは、前記第１所定温度未満では前記基材の一方の面と異なる色であり、前記第１所定温度以上で前記基材の一方の面と同色となるものである。
【発明の効果】
【００１５】
本発明によれば、所定の温度範囲でのみ印画物の表面にコード情報が発現し、その温度範囲よりも低い温度帯及び高い温度帯ではコード情報が発現しないため、第三者によるコード情報の読み取りを防止し、セキュリティ性を高めることができる。
【図面の簡単な説明】
【００１６】
【図１】（ａ）はカードの平面図であり、（ｂ）は（ａ）のIb-Ib線断面図である。
【図２】（ａ）はカードの平面図であり、（ｂ）は（ａ）のIIb-IIb線断面図である。
【図３】（ａ）はカードの平面図であり、（ｂ）は（ａ）のIIIb-IIIb線断面図である。
【図４】（ａ）はカードの平面図であり、（ｂ）は（ａ）のIVb-IVb線断面図である。
【図５】（ａ）は接触体の斜視図であり、（ｂ）は接触体をカードに接触させた状態を示す図である。
【図６】（ａ）はカードの平面図であり、（ｂ）は（ａ）のVIb-VIb線断面図である。
【図７】（ａ）〜（ｅ）はコード情報の発現と消失（非可視化）の流れを説明する図である。
【図８】示温インキの塗分けの例を示す図である。
【発明を実施するための形態】
【００１７】
以下、本発明の実施の形態を図面に基づいて説明する。
【００１８】
図１（ａ）は、本発明の実施形態に係るカード１の平面図であり、図１（ｂ）は図１（ａ）のIb-Ib線断面図（断面の一部の模式図）である。カード１は、例えばクレジットカードであり、基材１０の一方の面にカード番号、所有者の氏名、カード有効期限等が記載され、他方の面１ａに示温インキ１１，１２及び通常インキ１３が印刷されている。
【００１９】
基材１０は、例えば、ポリ塩化ビニル、ポリエステル、ポリカーボネート、ポリアミド、ポリイミド、セルロースジアセテート、セルローストリアセテート、ポリスチレン系樹脂、アクリル樹脂、ポリプロピレン、ポリエチレン等の合成樹脂を母材としたものである。基材１０にＩＣチップ等が埋め込まれていてもよい。
【００２０】
示温インキは、温度によって色相が変わる物質であり、例えば所定温度以下では有色状態であり、所定温度を超えると無色（消色）状態となる。示温インキの特性は材料によって異なり、所定温度以下では第１の色、所定温度を超えると第１の色とは異なる第２の色になるものがある。また、所定温度以下では無色状態、所定温度を超えると有色状態となる示温インキもある。示温インキは、その色変化が温度に対して不可逆のインキもあるが、本実施形態では、色変化が温度に対して可逆なインキを使用する。
【００２１】
示温インキには、ロイコ染料系インキ、液晶系インキ、無機化合物系インキ等を用いることができる。
【００２２】
ロイコ染料系インキとしては、ロイコ染料、顕減色剤、及び溶媒の混合物を使用しインキ化したものが挙げられる。ロイコ染料としては、例えばクリスタルバイオレットラクトンが挙げられる。
【００２３】
液晶系インキとしては、例えばコレステリック型液晶をマイクロカプセルの殻に閉じ込め、それを顔料として使用しインキ化したものが挙げられる。
【００２４】
無機化合物系インキとしては、例えばＨｇ、Ａｇ、Ｃｕ、Ｐｂ等の重金属のヨウ化物、又はそれらの錯塩を顔料として使用しインキ化したものが挙げられる。
【００２５】
通常インキ１３は、温度が変わっても色相が変化しないインキである。
【００２６】
本実施形態では、数字やアルファベット等の記号からなるコード情報部分Ｐを示温インキ１１と示温インキ１２とを積層して印刷し、コード情報以外の非コード部分Ｓに通常インキ１３を印刷する。すなわち、コード情報を示す記号パターンとなるように示温インキ１１，１２を積層して印刷し、記号パターン以外の周辺部分に通常インキ１３を印刷する。通常インキ１３は、記号パターン以外のカード全面に印刷してもよいし、記号パターンを囲むようにカード１の一部分に印刷してもよい。コード情報部分Ｐは、カード毎に異なるため、それぞれのインキは熱転写方式でオンデマンド印刷してもよい。
【００２７】
示温インキ１２は、常温（室温）では通常インキ１３と同色であり、温度Ｔ１以上に加熱すると無色（消色）状態に変化する。示温インキ１１は、温度Ｔ２（Ｔ２＞Ｔ１）未満では通常インキ１３とは異なる色であり、温度Ｔ２以上に加熱すると通常インキ１３と同色に変化する。ここで、同色とは、２色間の差異（距離）である色差ΔＥ＊ａｂが１．６以下であることをいい、０，８以下となっていることが好ましく、０．４以下となっていることがより好ましい。
【００２８】
そのため、示温インキ１１，１２及び通常インキ１３が印刷されたカード１は、温度Ｔ１未満では、示温インキ１１上に印刷された示温インキ１２が周囲の通常インキ１３と同色になっており、図１（ａ）（ｂ）に示すように、カード１の面全体が同一色となり、示温インキ１２と通常インキ１３との境界が視認されないため、コード情報が可視化されない。図１（ａ）では説明の便宜上、コード情報を破線で示している。
【００２９】
カード１を加熱し、温度Ｔ１以上Ｔ２未満の範囲になると、示温インキ１２が無色状態に変化し、図２（ａ）（ｂ）に示すように下層の示温インキ１１が可視化され、コード情報Ｊが発現する。なお、以降の説明では、示温インキの色の変化に対応させて、断面図におけるハッチングを変えている。
【００３０】
カード１をさらに加熱し、温度Ｔ２以上になると、示温インキ１１が周囲の通常インキ１３と同色に変化し、図３（ａ）（ｂ）に示すように、カード１の面全体が同一色となり、コード情報が消失（非可視化）する。
【００３１】
カード１の加熱を停止し、温度Ｔ１未満に低下すると、図１（ａ）（ｂ）に示す状態に戻る。
【００３２】
このように、本実施形態では、Ｔ１以上Ｔ２未満の温度範囲でのみコード情報が発現し、Ｔ１未満、Ｔ２以上の温度帯ではコード情報が可視化されない。例えば、温度Ｔ１未満の常温ではコード情報が可視化されないため、第三者によるコード情報の読み取りを防止し、セキュリティ性を高めることができる。
【００３３】
第三者が、コード情報が発現する温度範囲を知らずにカード１を温めた場合、温度Ｔ２以上ではコード情報が可視化されないので、コード情報の読み取りを防止できる。しかし、偶然にＴ１以上Ｔ２未満の温度範囲でカード１の加温を停止した場合は、コード情報が読み取られる可能性がある。
【００３４】
そのため、コード情報を複数に分割し、分割コード情報を変色温度帯の異なる示温インキで形成し、カード所有者には、カード加熱用のスタンプ状の接触体を提供しておくことが好ましい。
【００３５】
例えば、図４（ａ）（ｂ）に示すように、カード１のインキ印刷面を２分割し、一半側の面１Ｌでは、分割コード情報部分Ｐ１に示温インキ２１と示温インキ２２とを積層して印刷し、分割コード情報以外の非コード部分Ｓ１に通常インキ２３を印刷する。他半側の面１Ｒでは、分割コード情報部分Ｐ２に示温インキ３１と示温インキ３２とを積層して印刷し、分割コード情報以外の非コード部分Ｓ２に通常インキ３３を印刷する。
【００３６】
示温インキ２２は、常温（室温）では通常インキ２３と同色であり、温度Ｔ１以上に加熱すると無色（消色）状態に変化する。示温インキ２１は、温度Ｔ２（Ｔ２＞Ｔ１）未満では通常インキ２３とは異なる色であり、温度Ｔ２以上に加熱すると通常インキ２３と同色に変化する。
【００３７】
示温インキ３２は、常温（室温）では通常インキ３３と同色であり、温度Ｔ３（Ｔ３＞Ｔ２）以上に加熱すると無色（消色）状態に変化する。示温インキ３１は、温度Ｔ４（Ｔ４＞Ｔ３）未満では通常インキ３３とは異なる色であり、温度Ｔ４以上に加熱すると通常インキ３３と同色に変化する。
【００３８】
図５（ａ）に示すように、接触体２は電源及びヒータを内蔵し、カード１に接触させる接触面が加熱するものである。接触面は、加熱温度の異なる領域２Ｌ、２Ｒを有し、領域２ＬはＴ１以上Ｔ２以下の所定温度に昇温し、領域２ＲはＴ３以上Ｔ４以下の所定温度に昇温する。
【００３９】
図５（ｂ）に示すように、接触面の領域２Ｌがカード１の面１Ｌ、領域２Ｒがカード１の面１Ｒに位置するように接触体２をカード１に押圧接触させる。
【００４０】
接触体２でカード１を加熱することで、図６（ａ）（ｂ）に示すように、面１Ｌでは、示温インキ２２が無色状態に変化し、下層の示温インキ２１が可視化され、分割コード情報Ｊ１が発現する。面１Ｒでは、示温インキ３２が無色状態に変化し、下層の示温インキ３１が可視化され、分割コード情報Ｊ２が発現する。分割コード情報Ｊ１、Ｊ２が共に発現することで、カード所有者はコード情報を読み取ることが可能となる。
【００４１】
カード１の専用加熱機構である接触体２を所有しない第三者がカード１を加熱した場合、温度Ｔ１未満では、示温インキ２１上に印刷された示温インキ２２が周囲の通常インキ２３と同色になっており、示温インキ３１上に印刷された示温インキ３２が周囲の通常インキ３３と同色になっているため、図７（ａ）に示すように、カード１の面１Ｌ、１Ｒがそれぞれ同一色となり、コード情報が可視化されない。
【００４２】
カード１を加熱し、温度Ｔ１以上Ｔ２未満の範囲になると、示温インキ２２が無色状態に変化し、図７（ｂ）に示すように下層の示温インキ２１が可視化され、分割コード情報Ｊ１が発現する。しかし、面１Ｒでは、示温インキ３１上に印刷された示温インキ３２が周囲の通常インキ３３と同色のままであるため、分割コード情報Ｊ２は発現しない。
【００４３】
カード１をさらに加熱し、温度Ｔ２以上Ｔ３未満の範囲になると、示温インキ２１が周囲の通常インキ２３と同色に変化し、図７（ｃ）に示すように、カード１の面１Ｌ、１Ｒがそれぞれ同一色となり、コード情報が可視化されない。
【００４４】
カード１をさらに加熱し、温度Ｔ３以上Ｔ４未満の範囲になると、示温インキ３２が無色状態に変化し、図７（ｄ）に示すように下層の示温インキ３１が可視化され、分割コード情報Ｊ２が発現する。しかし、面１Ｌでは、示温インキ２１が周囲の通常インキ２３と同色になっているため、分割コード情報Ｊ１は発現しない。
【００４５】
カード１をさらに加熱し、温度Ｔ４以上の範囲になると、示温インキ３１が周囲の通常インキ３３と同色に変化し、図７（ｅ）に示すように、カード１の面１Ｌ、１Ｒがそれぞれ同一色となり、コード情報が可視化されない。
【００４６】
第三者がカード１を加熱した場合、コード情報の一部のみが可視化する温度帯はあるが、コード情報全体が可視化する温度帯は無い。そのため、接触体２を所有しない第三者によるコード情報の読み取りを防止できる。
【００４７】
通常インキ２３と通常インキ３３とは同色でもよいし、異なる色でもよい。同色の場合は常温でカード１の全面が同色になるため、まとまりのよい落ち着いた外観となる。異なる色の場合は、意匠性の高いカード１となる。
【００４８】
示温インキ２１が通常インキ２３と同色に変化する温度Ｔ２は、示温インキ３２が消色状態に変化する温度Ｔ３よりも低いことが好ましい。温度Ｔ２が温度Ｔ３よりも高い場合、Ｔ３以上Ｔ２未満の温度範囲で分割コード情報Ｊ１、Ｊ２の両方が可視化してしまうためである。
【００４９】
図８に示すように、面１Ｌに形成される分割コード情報部分Ｐ１を文字の途中で分割し、分割文字Ｐ１１とＰ１２とを、それぞれ変色温度域の異なる示温インキの積層構造で形成してもよい。同様に、面１Ｒに形成される分割コード情報部分Ｐ２を文字の途中で分割し、分割文字Ｐ２１とＰ２２とを、それぞれ変色温度域の異なる示温インキの積層構造で形成してもよい。この場合、加熱温度の異なる４つの領域を含む接触面を有する接触体２でカード１を加熱しないと、コード情報全体を発現させることができず、セキュリティ性をさらに高めることができる。
【００５０】
上記実施形態では、示温インキで印刷した記号を全て加熱する方法について説明したが、一部の示温インキ記号をダミー記号としてもよい。加熱接触体にダミー記号には接触しない構造を設けることにより、カード１の専用加熱機構である接触体２を所有しない第三者が、カード１の示温インキ部の記号を解読したとしても、ダミー記号は識別できないため、セキュリティ性をより向上させることができる。
【００５１】
上記実施形態では、所定温度以下では有色状態であり、所定温度を超えると無色（消色）状態となる示温インキや、所定温度以下では第１の色であり、所定温度を超えると第１の色とは異なる第２の色になる示温インキのように、変色温度が１種類の示温インキを積層し、周囲の通常インキと同色の上層示温インキが昇温して消色状態となり、下層示温インキによるコード情報が発現し、さらに昇温すると下層示温インキが周囲の通常インキと同色に変化し、コード情報が消失（非可視化）する例について説明したが、２種類の変色温度を有する示温インキを使用してもよい。この場合、示温インキを積層構造にしなくてもよい。
【００５２】
例えば、第１所定温度未満では周囲の通常インキと同じ第１色、第１所定温度以上第２所定温度未満では第１色とは異なる第２色に変化し、第２所定温度以上に加熱すると周囲の通常インキと同じ第１色に戻る示温インキを利用すれば、図１や図４における示温インキの積層構造を単層構造にできる。
【００５３】
上記実施形態では、常温では通常インキ１３と同色であり、温度Ｔ１以上に加熱すると無色状態に変化する示温インキ１２と、温度Ｔ２未満では通常インキ１３とは異なる色であり、温度Ｔ２以上に加熱すると通常インキ１３と同色に変化する示温インキ１１とを使用し、示温インキ１１，１２を積層して記号パターンとなるように印刷し、記号パターン以外の周辺部分に通常インキ１３を印刷する例について説明したが、この通常インキ１３と同色の基材１０を使用することで、通常インキ１３を省略してもよい。
【００５４】
上記実施形態では、コード情報部分を示温インキで印刷したカードについて説明したが、カードに限定されず、示温インキを印刷できる様々な印画物に適用できる。
【００５５】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【００５６】
１  カード
２  接触体
１０  基材
１１，１２  示温インキ
１３  通常インキ
【図１】
2020040336.tif 000003
【図２】
2020040336.tif 000004
【図３】
2020040336.tif 000005
【図４】
2020040336.tif 000006
【図５】
2020040336.tif 000007
【図６】
2020040336.tif 000008
【図７】
2020040336.tif 000009
【図８】
2020040336.tif 000010